(57)【要約】【課題】  エレベータのかごに設けられるかご操作盤を改良し、シンプルで、保守点検などの行いやすい構成にすること。【解決手段】  袖壁１０は、挟持片１２、ブラケット１３、凹部１４、突出片１５を備え、かご操作盤は上中下に３分割し、下部体７０は予め袖壁１０に固定しておく。上部体５０は係合片５２を挟持片１２に挟み、固定片５３をブラケット１３にネジ止めする。中央体６０は、係合片６２を凹部１４の上部に係合し、下部は穴６５を利用して突出片１５にネジ止めする。そして鍵穴６８に鍵を差し込んで、ガイド溝６３に沿って蓋体６６を上昇させ、蓋体６６の表面を中央体６０及び下部体７０の表面と面一にし、鍵穴６８から鍵を抜くことによりかご操作盤の取り付けを行う。【選択図】      図１
2006256736.tif 000002
【特許請求の範囲】
【請求項１】
エレベータのかごに設けられるかご操作盤において、上部体、中央体、下部体を有し、下部体は予めかごに固定されており、上部体はその上方がかごに係止され、下方はその裏面側でかごに固定される構成であり、中央体はその上方がかごに係止され、下方はかごに固定されるとともに、該固定個所を覆う蓋体を備えた構成であることを特徴とするエレベータのかご操作盤。
【請求項２】
前記蓋体は、上下方向にスライド可能であり、上方に位置したときにはその表面が前記中央体の表面とほぼ面一になり、下方に位置したときには、その全部又は一部が前記下部体より前面に出る構成であることを特徴とする請求項１に記載のエレベータのかご操作盤。
【発明の詳細な説明】
【技術分野】
【０００１】
本発明は、エレベータのかご操作盤の取付構造の改良に関するものである。
【背景技術】
【０００２】
図２〜図５は、袖壁にかご操作盤を組み込んだ従来構造の例であり、この例では袖壁はかご内側に開くリターンパネル式になっている。図２はかご出入口をかご内から見た図で、１は袖壁を構成するリターンパネル２に組み込まれたかご操作盤の押ボタンやランプ等、３はかごドア、４は出入口柱、５は天井板、６は床、７は幅木である。
図３は図２のＡ−Ａ断面図であり、リターンパネル２は常時はロッド２０によってロックされているが、保守点検時等にはヒンジ８によりかごの内側方向に開かれて、押ボタン及びランプ等１の保守点検が行えるようになっている。
【０００３】
図４は図２のＢ−Ｂ断面図であり、ロッド２０はリターンパネル２に固定されたガイド２１，２２及び幅木７に固定されたガイド２３にそれぞれ設けられた貫通穴によりガイドされており、またロッド２０に固定されたピン２４がガイド２２に乗ることにより支持される。２５はロッド２０を常時下方に付勢するばねであり、エレベータの走行中にロッド２０が揺動しないようにしている。図４のＣ−Ｃ断面図である図５に示されているように、ガイド２１には丸穴２１ａが設けられており、ロッド２０の先端に設けられた係合部２０ａが挿入できるようになっている。３０は天井板５に固定されたブラケットであり、ロッド２０の本体は挿通可能であるが、ロッド２０に設けられた大径部２０ｂは挿入不可能な切り欠き３０ａと、大径部２０ｂが挿入可能な丸穴３０ｂ、及び係合部２０ａと当接する当接部３０ｃが設けられており、このブラケット３０とガイド２３によってロッド２０を保持することにより、リターンパネル２のロックを保持している。
【０００４】
通常時、ロッド２０の下端はガイド２３の貫通穴に，上端の係合部２０ａは丸穴２１ａに、また大径部２０ｂは丸穴３０bにそれぞれ挿入されており、リターンパネル２はロックされている。リターンパネル２のロックを外す場合は、ロック解除具４０によってロッド２０を押し上げることにより、図４の二点鎖線で示すように、ロックは解除される。この状態でリターンパネル２をかご内へ引くと、図３に示すようにリターンパネル２は開放される。
【０００５】
リターンパネル２を閉じる場合は、ロッド２０を押し上げて、係合部２０ａをガイド２１の丸穴２１ａの近く（図５二点鎖線位置）に手でセットする。この状態でリターンパネル２を閉じると係合部２０ａは当接部３０ｃに押されて丸穴２１ａ内へ挿入される。このため、ロッド２０の下端部はガイド２３の穴へ、また大径部２０ｂは丸穴３０ｂへそれぞれ挿入されることになり、ロックが完了する。
【特許文献１】実公昭６３−１５２６０号公報
【発明の開示】
【発明が解決しようとする課題】
【０００６】
前記袖壁はリターンパネル２の下端にロック解除具４０を挿入するための隙間Ｘが必要である。またリターンパネルの回動・ロックのための構造が複雑になり、コストアップになるという問題があった。
【課題を解決するための手段】
【０００７】
本発明は、エレベータのかごに設けられるかご操作盤において、上部体、中央体、下部体を有し、下部体は予めかごに固定されており、上部体はその上方がかごに係止され、下方はその裏面側でかごに固定される構成であり、中央体はその上方がかごに係止され、下方はかごに固定されるとともに、該固定個所を覆う蓋体を備えた構成としたものである。
【０００８】
更に本発明は、前記蓋体は、上下方向にスライド可能であり、上方に位置したときにはその表面が前記中央体の表面とほぼ面一になり、下方に位置したときには、その全部又は一部が前記下部体より前面に出る構成としたものである。
【発明の効果】
【０００９】
本発明によれば、従来のリターンパネル方式に比べよりシンプルな構造のエレベータかご操作盤を実現することができる。
【発明を実施するための最良の形態】
【００１０】
本発明の実施の形態を図１により説明する。１０は本実施の形態の袖壁で、かごの一部を構成し、かごドア３側は出入口柱１１になっている。１２は上端が袖壁１０に固定された挟持片、１３は袖壁１０に固定されたＬ型のブラケットで、その突出片にはナットが固定されている。１４はボックス状の凹部で下方にはナットが固定された一対の突出片１５が設けられている。
５０は表示器５１を有する上部体で、裏面上部に係合片５２、下部に固定片５３が設けられている。６０は押ボタンやランプ等６１が配置された中央体で、裏面上部には係合片６２、下部には外側にガイド溝６３が形成された一対の枠６４を有しており、この枠６４には穴６５が空けられている。６６は枠６４に沿って昇降可能に設けられた蓋体で、その上部裏面には先端が内側に屈折してガイド溝６３に挿入された一対のガイド６７を、下部には鍵穴６８を有している。７０は予め袖壁１０に固定された下部体である。
【００１１】
本実施形態のかご操作盤を組み立てる場合には、まず係合片５２を挟持片１２に挟み、固定片５３をブラケット１３と重ねて下方からネジ止めする。次に係合片６２を凹部１４の上端に挟み、枠６４の穴６５を突出片１５の穴に合わせてネジ止めする。このとき蓋体６６は図１に示すように、下垂して下部体７０にかぶさっている。また一対の枠６４の間には保守点検時などに使用する運転手盤が配置されており、蓋体６６は運転手盤の蓋になっている。
そして鍵穴６８に鍵を差し込んで、ガイド溝６３に沿って蓋体６６を上昇させて、蓋体６６の表面を中央体６０及び下部体７０の表面と面一にする。そして鍵穴６８から鍵を抜くとかご操作盤の取り付けは終了する。
【００１２】
以上説明したように、本実施の形態は、従来のリターンパネル式に比べて構成がシンプルになる。また通常の保守点検で用いる鍵を使用して蓋体６６の開閉、従ってかご操作盤の着脱が行えるため、ロック解除装置４０のような特別な道具を使用する必要がない。
【００１３】
前記実施の形態では上部体５０に表示器５１が組み込まれているが、表示器５１は中央体６０に組み込まれてもよく、かごドア上部のトランサムに配置されていても良い。また前記実施の形態では蓋体６６は下方にあるときは中央部６０と平行な状態になっているが、傾斜した状態になっていても良い。更に、上部体５０，中央体６０，下部体７０に３分割しているが、小型のエレベータなどでは、上部体５０と中央体６０を一体に構成することも不可能ではない。更にまた、前記実施の形態では、袖壁１０にかご操作盤が設置された例を示したが、他の壁にかご操作盤が設けられる場合でも同様に実施することができる。
【図面の簡単な説明】
【００１４】
【図１】本発明の実施の形態を示す図である。
【図２】従来のかご出入口をかご内から見た図である。
【図３】図２のＡ−Ａ断面図である。
【図４】図２のＢ−Ｂ断面図である。
【図５】図４のＣ−Ｃ断面図である。
【符号の説明】
【００１５】
１０  袖壁
１１  出入口柱
５０  上部体
５１  表示器
６０  中央体
６３  ガイド溝
６４  枠
６６  蓋体
６７  ガイド
７０  下部体
【図１】
2006256736.tif 000003
【図２】
2006256736.tif 000004
【図３】
2006256736.tif 000005
【図４】
2006256736.tif 000006
【図５】
2006256736.tif 000007